(57)【要約】      （修正有）【課題】鉛直方向に対して平行をなすように、装飾用パネルをトンネルの側壁面に容易かつ正確に設置することが可能なパネル取付具を提供する。【解決手段】横桟部材３ａ〜３ｃがアンカーボルト８によってトンネル５の側壁面６に固定される縦桟部材１に対して格子状に組み合わされるとともに、パネル装着面１４ａ〜１４ｃが側壁面６と平行をなすように設置されている。側壁面６に立設される縦桟部材１の取付面１ａには、トンネル５の長さ方向に垂直な平面内で水平方向の位置を調節可能に，支持片２ａ〜２ｃの基端部がボルト１０を用いて固定され、横桟部材３ａ〜３ｃは、トンネル５の長さ方向に垂直な平面内で水平方向の位置を調節可能に，支持片２ａ〜２ｃに固定されている。【選択図】図２
0003166122.tif 000002
【実用新案登録請求の範囲】
【請求項１】
トンネルの側壁面に内装用パネルを取り付ける際に用いられるパネル取付具において、
前記トンネルの長さ方向に沿って複数配置され，前記側壁面に固設される縦桟部材と、
パネル装着面が前記側壁面と平行をなすように，この縦桟部材に対して格子状に組み合わされる複数の横桟部材と、
前記トンネルの長さ方向に垂直な平面内で水平方向の位置を調節可能に，基端部が前記縦桟部材に固定される支持片と、
を備え、
前記横桟部材は、この支持片を介して前記縦桟部材に固定されることを特徴とするパネル取付具。
【請求項２】
トンネルの側壁面に内装用パネルを取り付ける際に用いられるパネル取付具において、
前記トンネルの長さ方向に沿って複数配置され，前記側壁面に固設される縦桟部材と、
パネル装着面が前記側壁面と平行をなすように，この縦桟部材に対して格子状に組み合わされる複数の横桟部材と、
基端部が前記縦桟部材に固定される支持片と、
を備え、
前記横桟部材は、前記トンネルの長さ方向に垂直な平面内で水平方向の位置を調節可能に，前記支持片に固定されることを特徴とするパネル取付具。
【請求項３】
前記横桟部材は、側面の１つを前記パネル装着面とする角パイプからなることを特徴とする請求項１又は請求項２に記載のパネル取付具。
【考案の詳細な説明】
【技術分野】
【０００１】
本考案は、トンネルの側壁面に装飾用パネルを取り付ける際に使用されるパネル取付具に係り、特に、簡単な構造であって取扱いが容易なパネル取付具に関する。
【背景技術】
【０００２】
人道トンネル等では、歩行者に対して美感を与えるとともに、トンネル内の視認性を高めるために、内壁に装飾用パネルが取り付けられる場合がある。この種のパネルとしては、例えば、繊維強化セメント板やケイ酸カルシウム板等が一般に知られている。しかしながら、繊維強化セメント板やケイ酸カルシウム板は、付着した汚れが内部に染み込んで、除去が困難となるという課題があった。そのため、近年では、汚れが付着し難く、清掃作業が容易なアルミニウムやステンレス等の金属製の装飾用パネルが注目されている。そして、このようなパネルをトンネルの側壁面に取り付ける技術について様々な研究や開発が行われており、それに関して既に幾つかの発明や考案が開示されている。
【０００３】
例えば、特許文献１には、「パネルの設置方法」という名称で、トンネルの内側にパネルを短時間で精度よく設置する方法に関する発明が開示されている。
特許文献１に開示された発明は、トンネル内の壁面に棒材を奥行き方向に対して平行に設置するとともに、取付具をパネルに取り付け、この取付具を棒材に嵌め込むようにしてパネルをトンネルの壁面に設置するものである。また、トンネルの内側に鋼製覆工が施されている場合には、この鋼製覆工に対して、奥行き方向に間隔をおいて受け具を取り付け、この受け具間に棒材を設置することを特徴としている。なお、明細書中には、パネルの材料として、コンクリート等の他、ステンレスや鋼材等が記載されている。
このような方法によれば、パネルが棒材を介して壁面に取り付けられるため、受け具の設置個数を削減することができる。また、周方向に対して正確な位置に受け具を設置することにより、パネルを短時間でトンネル壁面に設置することができる。
【０００４】
また、特許文献２には、「トンネル内装板取付け部の補修方法およびその補修部材」という名称で、トンネル壁面に沿って横胴縁が設けられ、この横胴縁に水平端縁部背面側を沿わせ、かつ、その正面側に沿わせて補強部材を固定するようにして設置される内装板において、腐食し弱体化した内装板の取り付け部を簡単に補修することが可能な補修方法とそれに用いる補修部材に関する発明が開示されている。
特許文献２に開示された発明である補修部材は、内装板の水平端縁から正面側に沿って設置される補強部材を覆うように取り付けられるものであり、補修部材の一面は補強部材を過ぎた位置で内装板と面合する縦幅を有するとともに，端部には貫通穴が設けられ、補修部材の他面は上記一面と略直交し，内装板の水平端縁から，内装板を取り付けた横胴縁の少なくとも一部を覆設可能な奥行き幅を有するとともに，トンネル壁面に打設したアンカーボルトへの取付け座が設けられたことを特徴とする。
このような構造の補修部材においては、古い取付け部材を残したまま、新しい補修部材で内装板をトンネル壁面に固定することになるため、古い取付け部材の取り外しと搬出の手間が不要となる。従って、内装板取付け部の補修作業を簡単に、かつ、安価に行うことができる。
【０００５】
さらに、特許文献３には、「トンネル用内装パネル」という名称で、道路用トンネルの内壁の比較的低い箇所に設置されるパネルに関する発明が開示されている。
特許文献３に開示された発明は、断面がＬ字をなす山形アングルを有する上部胴縁及び下部胴縁によって構成される内装板取付け枠と、上下の折り返しの長さが異なる折り返し部が設けられた内装板とを備えるものである。
このような構造の内装パネルにおいては、上部胴縁及び下部胴縁の各山形アングルの一辺をそれぞれ上下方向に向けてトンネルの内壁に設置し、これら山形アングルの一辺を内装板の上下の折り返しにそれぞれ挿入することにより、内装板が上部胴縁及び下部胴縁に固定されるという作用を有する。この場合、内装板を胴縁にボルトで固定する必要がないため、胴縁に対して内装板を短時間で簡単に取り付けることができる。また、内装板を簡単に胴縁から外すことができるため、内装板を取り換える必要が生じた場合でも作業が容易である。
【先行技術文献】
【特許文献】
【０００６】
【特許文献１】特開２００３−２７８４９４号公報
【特許文献２】特開平１１−１７３０９２号公報
【特許文献３】特開平７−１５８３９１号公報
【考案の概要】
【考案が解決しようとする課題】
【０００７】
しかしながら、上述の従来技術である特許文献１に開示された発明においては、取付具が棒材とパネルの間の距離を調節可能に構成されていないため、鉛直方向に対して平行にパネルを正確に設置することが容易でないという課題があった。
【０００８】
また、特許文献２に開示された発明は、既設の内装板の補修を行うことを目的とするものであり、内装板自体は、従来の技術によって設置されている。具体的には、トンネル壁面に上段、中段、下段にそれぞれ設置される横胴縁に対し、上段及び下段の各横胴縁に沿って内装板の上水平端縁部及び下水平端縁部が補強部材によってそれぞれ覆われた状態で固定し、内装板の略中央の縦端縁部を、隣接する内装板との隙間から露出した中断の横胴縁に抑え金具で固定する方法が明細書中に記載されている。しかしながら、このような方法では、横胴縁とトンネル壁面との距離を調節できないため、内装板との接触面が鉛直方向に対して平行な同一の平面を形成するように、トンネル壁面の上中下の三段に各横胴縁を配置することは困難である。従って、本発明においても特許文献１の発明と同様の課題を有している。
【０００９】
特許文献３に開示された発明においては、上部胴縁及び下部胴縁がトンネル壁面との距離や取付角度を調節可能な構成となっていないため、内装板を鉛直方向に対して平行となるように正確に設置することが難しいという課題があった。
【００１０】
本考案は、このような従来の事情に対処してなされたものであり、鉛直方向に対して平行をなすように、装飾用パネルをトンネルの側壁面に容易かつ正確に設置することが可能なパネル取付具を提供することを目的とする。
【課題を解決するための手段】
【００１１】
上記目的を達成するため、請求項１記載の考案は、トンネルの側壁面に内装用パネルを取り付ける際に用いられるパネル取付具において、トンネルの長さ方向に沿って複数配置され，側壁面に固設される縦桟部材と、パネル装着面が側壁面と平行をなすように，この縦桟部材に対して格子状に組み合わされる複数の横桟部材と、トンネルの長さ方向に垂直な平面内で水平方向の位置を調節可能に，基端部が縦桟部材に固定される支持片と、を備え、横桟部材は、この支持片を介して縦桟部材に固定されることを特徴とするものである。
このような構造のパネル取付具においては、トンネルの長さ方向に垂直な平面内で複数の支持片の水平方向の位置を個別に調節することで、複数の横桟部材のパネル装着面により、鉛直方向に対して平行な同一平面が容易に形成されるという作用を有する。
【００１２】
また、請求項２記載の考案は、トンネルの側壁面に内装用パネルを取り付ける際に用いられるパネル取付具において、トンネルの長さ方向に沿って複数配置され，側壁面に固設される縦桟部材と、パネル装着面が側壁面と平行をなすように，この縦桟部材に対して格子状に組み合わされる複数の横桟部材と、基端部が縦桟部材に固定される支持片と、を備え、横桟部材は、トンネルの長さ方向に垂直な平面内で水平方向の位置を調節可能に，支持片に固定されることを特徴とするものである。
このような構造のパネル取付具においては、トンネルの長さ方向に垂直な平面内で複数の横桟部材の水平方向の位置を個別に調節することで、複数のパネル装着面により、鉛直方向に対して平行な同一平面が容易に形成されるという作用を有する。
【００１３】
請求項３記載の考案は、請求項１又は請求項２記載のパネル取付具において、横桟部材は、側面の１つをパネル装着面とする角パイプからなることを特徴とするものである。
このような構造のパネル取付具においては、内装用パネルの横桟部材へのネジ止め状態が安定するという作用を有する。
【考案の効果】
【００１４】
以上説明したように、本考案の請求項１記載のパネル取付具によれば、鉛直方向に対して平行をなすように、トンネルの側壁面に内装用パネルを容易かつ正確に設置することが可能である。
【００１５】
本考案の請求項２記載のパネル取付具によれば、請求項１記載の考案と同様の効果を奏する。
【００１６】
本考案の請求項３記載のパネル取付具においては、パネル装着時の信頼性を高めるとともに、全体の軽量化を図ることが可能である。
【図面の簡単な説明】
【００１７】
【図１】（ａ）は本考案の実施の形態に係るパネル取付具がトンネル内に設置された状態を示す図であり、（ｂ）は図１（ａ）のＡ方向矢視図である。
【図２】図１（ｂ）のＸ−Ｘ線矢視断面の拡大図である。
【図３】（ａ）は図１（ｂ）に示したＢ部の拡大図であり、（ｂ）は図３（ａ）のＥ−Ｅ線矢視断面図である。
【図４】（ａ）は図１（ｂ）に示したＣ部の拡大図であり、（ｂ）は図４（ａ）のＦ−Ｆ線矢視断面図である。
【図５】（ａ）は図１（ｂ）に示したＤ部の拡大図であり、（ｂ）は図５（ａ）のＧ−Ｇ線矢視断面図である。
【考案を実施するための形態】
【００１８】
本考案のパネル取付具は、景観の向上等の目的でトンネルの側壁面に設置される内装用パネルに対して用いられるものである。以下、内装用パネルとして、プリント加工により表面に各種の装飾が施された、厚さ３ｍｍ程度のアルミニウム製の板材を使用した場合を例にとって、図１乃至図５を参照しながら本考案のパネル取付具の詳細について具体的に説明する。
【実施例】
【００１９】
図１（ａ）は本考案の実施の形態に係るパネル取付具がトンネル内に設置された状態を示す図であり、図１（ｂ）は図１（ａ）のＡ方向矢視図である。なお、図１（ｂ）ではパネルの図示を省略している。また、図２は図１（ｂ）のＸ−Ｘ線矢視断面の拡大図である。図３（ａ）は図１（ｂ）に示したＢ部の拡大図であり、図３（ｂ）は図３（ａ）のＥ−Ｅ線矢視断面図である。図４（ａ）は図１（ｂ）に示したＣ部の拡大図であり、図４（ｂ）は図４（ａ）のＦ−Ｆ線矢視断面図である。そして、図５（ａ）は図１（ｂ）に示したＤ部の拡大図であり、図５（ｂ）は図５（ａ）のＧ−Ｇ線矢視断面図である。
【００２０】
本実施例のパネル取付具は、溶融亜鉛メッキ鋼板によって形成され，断面視略Ｌ字状のアングル材からなる縦桟部材１，支持片２ａ〜２ｃ及び横桟部材３ｂと、アルミニウム製の角パイプからなる横桟部材３ａ，３ｃと、端部が曲折された断面視略「へ」の字状のアルミニウム製の板材からなるカバー４とを備えている（図１（ａ）及び図１（ｂ））。そして、横縦桟部材３ａ〜３ｃは、内装用パネル７が装着される横桟部材３ａ〜３ｃのパネル装着面１４ａ〜１４ｃ（図２参照）が側壁面６と平行をなすように、かつ、トンネル５の長さ方向に沿って所定の間隔をあけて複数設置される縦桟部材１に対して格子状に組み合わされた状態で設置されている（図１（ｂ））。
【００２１】
図２に示すように、縦桟部材１は、長さ方向に所定の間隔をあけて３箇所に設けられたボルト穴（図示せず）にそれぞれ挿通されるアンカーボルト８によってトンネル５の側壁面６に固定されており、縦桟部材１の上部は、側壁面６から延設される曲面状の上部壁面９と干渉しないようにトンネル５の内側へ向けて曲折されている。また、側壁面６に立設される縦桟部材１の取付面１ａには、支持片２ａ〜２ｃの基端部がステンレス製のボルト１０を用いて固定されている。なお、ボルト１０が挿通されるボルト穴１０ａは、支持片２ａ〜２ｃの長さ方向に対して細長くなるように、取付面１３ａに形成されている。すなわち、ボルト１０を用いて縦桟部材１に固定された支持片２ａ〜２ｃは、ボルト１０を緩めることにより、トンネル５の長さ方向に垂直な平面内で水平方向の位置を調節可能となっている。さらに、横桟部材３ｂのパネル装着面１４ｂには、後述するように面ファスナー１５が取り付けられている。
【００２２】
横桟部材３ａには、トンネル５の上部壁面９と内装パネル７の上端縁との隙間を塞ぐように、カバー４がスクリュウビス１１ａを用いてパネル装着面１４ａにネジ止めされている。そして、カバー４には、スクリュウビス１１ａのビス穴１２ａ（図３（ａ））以外にも、内装用パネル７をネジ止めするためのスクリュウビス１１ｂのビス穴１２ｂ（図３（ａ））が設けられている。すなわち、内装用パネル７はカバー４を介して横桟部材３ａに装着される構造となっている。また、内装用パネル７はスクリュウビス１１ｂによって横桟部材３ｃのパネル装着面１４ｃにもネジ止めされている。
【００２３】
図３に示すように、支持片２ａは、ボルト穴１０ａだけでなく、取付面１３ｂの先端部近傍にも支持片２ａの長さ方向に対して細長いボルト穴１０ｂが設けられている。そして、横桟部材３ａは、ボルト穴１０ｂに挿通されるボルト１０によって支持片２ａに固定されている。すなわち、ボルト１０を用いて支持片２ａに固定される横桟部材３ａは、ボルト１０を緩めることにより、トンネル５の長さ方向に垂直な平面内で水平方向の位置を調節可能となっている。
【００２４】
図４に示すように、支持片２ｂは、ボルト穴１０ａに加え、取付面１３ｂの先端部近傍にも支持片２ｂの長さ方向に対して細長いボルト穴１０ｂが形成されており、ボルト穴１０ｂに挿通されるボルト１０によって横桟部材３ｂは支持片２ｂに固定されている。従って、ボルト１０を用いて支持片２ａに固定される横桟部材３ａは、ボルト１０を緩めることで、トンネル５の長さ方向に垂直な平面内で水平方向の位置を調節可能になっている。また、横桟部材３ｂのパネル装着面１４ｂ（図２）には、面ファスナー１５のオス型及びメス型の一方が取り付けられており、内装用パネル７の背面には、パネル装着面１４ｂが当接する箇所に面ファスナー１５の他方が取り付けられている。すなわち、内装用パネル７は、面ファスナー１５を介して横桟部材３ｂのパネル装着面１４ｂに着脱自在に取り付けられている。
【００２５】
図５に示すように、支持片２ｃは、ボルト穴１０ａに加え、取付面１３ｂの先端部近傍にも支持片２ｃの長さ方向に対して細長いボルト穴１０ｂが形成されている。そして、横桟部材３ｃはボルト穴１０ｂに挿通されるボルト１０を用いて支持片２ｃに固定されている。すなわち、横桟部材３ｃは、ボルト１０を緩めることで、トンネル５の長さ方向に垂直な平面内で水平方向の位置を調節可能な構造となっている。
【００２６】
上記構造のパネル取付具では、支持片２ａ〜２ｃに対し、トンネル５の長さ方向に垂直な平面内での水平方向の位置を個別に調節することで、横桟部材３ａ〜３ｃのパネル装着面１４ａ〜１４ｃによって、鉛直方向に対して平行な同一平面が容易に形成される。従って、鉛直方向に対して平行をなすように、内装用パネル７をトンネル５の側壁面６に容易かつ正確に設置することができる。また、横桟部材３ａ〜３ｃにおいて、トンネル５の長さ方向に垂直な平面内での水平方向の位置を個別に調節することによれば、上述の作用・効果がより一層発揮される。さらに、本考案のパネル取付具においては、内装用パネル７が横桟部材３ａ，３ｃに対してスクリュウビス１１ｂを用いて固定され、横桟部材３ｂに対して面ファスナー１５を用いて着脱自在に取り付けられる構造となっており、ネジ止めの箇所が少ないことから、内装用パネル７の設置作業に要する時間が短縮されるという作用を有する。そして、角パイプからなる横桟部材３ａ，３ｃは軽量でありながら、高い剛性を有している。従って、内装用パネル７の横桟部材３ａ，３ｃへのネジ止め状態が安定し、パネル装着時の信頼性が高まる。さらに、パネル取付具全体の軽量化を図ることが可能である。
【産業上の利用可能性】
【００２７】
請求項１乃至請求項３に記載された考案は、トンネルの側壁面に内装用パネルを設置する場合に限らず、様々な壁面に対して各種のパネルを設置する場合に適用可能である。
【符号の説明】
【００２８】
１…縦桟部材  １ａ…取付面  ２ａ〜２ｃ…支持片  ３ａ〜３ｃ…横桟部材  ４…カバー  ５…トンネル  ６…側壁面  ７…内装用パネル  ８…アンカーボルト  ９…上部壁面  １０…ボルト  １０ａ，１０ｂ…ボルト穴  １１ａ，１１ｂ…スクリュウビス  １２ａ，１２ｂ…ビス穴  １３ａ，１３ｂ…取付面  １４ａ〜１４ｃ…パネル装着面  １５…面ファスナー
【図１】
0003166122.tif 000003
【図２】
0003166122.tif 000004
【図３】
0003166122.tif 000005
【図４】
0003166122.tif 000006
【図５】
0003166122.tif 000007